(57)【要約】【課題】輝度のばらつきを調整アルゴリズムに精度良く反映させることができる画像表示装置のちらつき調整装置および方法を提供する。【解決手段】ＴＦＴ搭載製品２は、ＴＦＴディスプレイ３と、交流化駆動電圧を制御信号に従って調整可能な電源とを備える。カラーパターンジェネレータ４は、ＴＦＴディスプレイ３の複数の画素に、白色表示用の画像信号を与える。ＣＣＤカメラ５は、表示画面を複数の絵素で撮像する。ＣＣＤカメラ５のＲＧＢ出力は、フレームメモリ１２に、絵素毎に記憶される。ＣＰＵ１４は、フレームメモリ１２に記憶される輝度の変化から、各絵素毎に輝度の変動量を算出し、算出される輝度の変動量が複数の絵素について減少するように、ＴＦＴ搭載製品２の電源に制御信号を与え、交流化駆動電圧を調整する。【選択図】      図１
2005010641.tif 000002
【特許請求の範囲】
【請求項１】
交流化駆動を行う表示器と、交流化駆動電圧を制御信号に従って調整可能な電源とを備える表示装置のちらつきを調整する装置であって、
表示器の表示画面を構成する複数の画素に、予め定める同一レベルの画像信号を与えて表示を行わせるように制御する表示制御手段と、
表示器の表示画面を複数の絵素で撮像する画面撮像手段と、
画面撮像手段によって撮像される映像を構成する複数の絵素について、各絵素毎に輝度を記憶するメモリと、
メモリに記憶される輝度の変化から、各絵素毎に輝度の変動量を算出する変動量算出手段と、
変動量算出手段によって算出される輝度の変動量が複数の絵素について減少するように、表示装置の電源に制御信号を与え、交流化駆動電圧を調整する電圧調整手段とを含むことを特徴とする表示装置のちらつき調整装置。
【請求項２】
前記変動量算出手段は、前記変動量として、標準偏差を算出することを特徴とする請求項１記載の表示装置のちらつき調整装置。
【請求項３】
前記電圧調整手段は、前記複数の絵素について、前記輝度の標準偏差の平均を算出し、該平均が最小となるように、前記制御信号を前記表示装置の電源に与えることを特徴とする請求項２記載の表示装置のちらつき調整装置。
【請求項４】
前記電圧調整手段は、前記複数の絵素について、前記輝度の標準偏差のうちでの最大値が最小となるように、前記制御信号を前記表示装置の電源に与えることを特徴とする請求項２記載の表示装置のちらつき調整装置。
【請求項５】
前記電圧調整手段は、前記複数の絵素について、前記輝度の標準偏差が大きい側で、予め定める部分に関する標準偏差の平均が最小となるように、前記制御信号を前記表示装置の電源に与えることを特徴とする請求項２記載の表示装置のちらつき調整装置。
【請求項６】
前記画面撮像手段は、前記表示画面を、前記複数の画素よりも多い数の絵素で撮像することを特徴とする請求項１〜５のいずれかに記載の表示装置のちらつき調整装置。
【請求項７】
交流化駆動を行う表示装置の表示画面を構成する複数の画素に、予め定める同一レベルの画像信号を与えて表示を行わせながら、
表示画面を複数の絵素で撮像し、
撮像した映像を構成する複数の絵素について、各絵素毎に輝度の変動を求め、
該複数の絵素についての輝度の変動が減少するように、表示装置の交流化駆動電圧を調整することを特徴とする表示装置のちらつき調整方法。
【発明の詳細な説明】
【０００１】
【発明の属する技術分野】
本発明は、液晶表示装置などの表示装置のちらつき調整装置および方法に関する。
【０００２】
【従来の技術】
従来から、ＴＦＴ（Ｔｈｉｎ  Ｆｉｌｍ  Ｔｒａｎｓｉｓｔｏｒ）アクティブマトリクス型液晶表示装置であるＴＦＴで比すプレイなどの液晶表示装置では、液晶の劣化を避けるためなどの目的で交流化駆動が行われている。交流化駆動は、液晶表示装置の画素に印加する電圧の極性を交互に反転させて行う。駆動用の電子回路にオフセットなどがあると、液晶に印加される電圧が極性によって変化してしまう。交流化の極性反転は、１画面分の画像を表示するフレーム周期毎などに行われる。極性反転毎に輝度が変化すると、フリッカと呼ばれる表示のちらつきとなる。交流化駆動を行う液晶表示装置では、ちらつきが避けられず、その減少のための駆動電圧の調整が行われる。この調整は、通常、作業者が目視で画面を見て、ちらつきが小さくなるように行われる。
【０００３】
表示装置の画面からセンサでちらつきを検出し、ちらつきが小さくなるように自動調整する装置も提案されている（たとえば、特許文献１、特許文献２および特許文献３参照）。なお、液晶パネルの小さな領域からの光を光センサで受光し、ＲＧＢの輝度補正または色度補正を行う透過型表示装置および画像処理装置も提案されている（たとえば、特許文献４参照）。
【０００４】
特許文献１では、液晶表示パネルから出た透過光を集光レンズで光センサの面上に集光させ、検出信号のＡＣ成分を抽出して、Ｐ−Ｐ値が最低となるように、液晶表示パネルに備えられるトリマを機械的に調整する。引用文献２では、液晶表示パネルの走査線数とＣＣＤカメラに結ぶ像の走査線数が一致するように光学系を調整し、表示範囲の一部または全部を測定範囲として、フィールド毎に反転駆動する場合は、測定範囲についてフィールド毎に輝度を合計し、それぞれのフィールドの輝度が一致しているときにフリッカがないと判断し、この状態となるようにＤ／Ａ（Ｄｉｇｉｔａｌ  ／  Ａｎａｌｏｇ）変換される駆動電圧を調整したり、ボリュームやトリマなどをステッピングモータなどの回転駆動力で機械的に調整する。特許文献３では、予め液晶パネル固有のフリッカが生じる電圧値の差を画素毎に求めて、補正値として補正値記憶回路に記憶させておき、使用時に、画像信号に補正値を加えてフリッカの防止を図っている。
【０００５】
【特許文献１】
特開平６−１３０９２０号公報
【特許文献２】
特開平７−９８５７４号公報
【特許文献３】
特開平８−２４１０６２号公報
【特許文献４】
特開２００１−２６５２９６号公報
【０００６】
【発明が解決しようとする課題】
従来のＴＦＴディスプレイのちらつき調整は、作業者が画面を目視しながら、ちらつきが最小となる点を、トリマで調整している。このため、作業者間の目視感覚の違いによるばらつきがあり、またちらついていることを見続けることで、作業者の視力や注意力が低下してしまう問題がある。しかし、自動化するには、人が感じる「ちらつき」の原因を特定し、数値で表現する定量化が必要であり、またその定量値が目視値と一致しなければならず、これまでその手法が確立していない。
【０００７】
特許文献１や特許文献２で開示されているような手法では、フィールド毎の輝度を合計して、フィールド間の輝度差を最小にするように調整していることに帰する。このような手法では、単にフィールド内の輝度を合計しているだけであり、合計値が同一であれば、各輝度値がばらついている場合と一様である場合との区別がつかず、これが原因でちらつきを減少させるように調整することができない場合があり得る。特に、フィールド間の輝度差が最小となる調整点付近では、目視ではフィールド間の輝度差をちらつきとは感じにくくなる。その代りに、画面上でランダムにサラサラ流れるような輝度ばらつきをちらつきと感じるようになる。このようなランダムな輝度のばらつきの影響は、単に輝度合計や平均を取ったのでは、ちらつきを調整するアルゴリズムに反映させることができない。また、複数の絵素を備える撮像素子で画面の輝度を検出するときは、絵素間の感度のばらつきでも輝度値のばらつきが生じ得る。
【０００８】
本発明の目的は、輝度のばらつきを調整アルゴリズムに精度良く反映させることができる画像表示装置のちらつき調整装置および方法を提供することである。
【０００９】
【課題を解決するための手段】
本発明は、交流化駆動を行う表示器と、交流化駆動電圧を制御信号に従って調整可能な電源とを備える表示装置のちらつきを調整する装置であって、
表示器の表示画面を構成する複数の画素に、予め定める同一レベルの画像信号を与えて表示を行わせるように制御する表示制御手段と、
表示器の表示画面を複数の絵素で撮像する画面撮像手段と、
画面撮像手段によって撮像される映像を構成する複数の絵素について、各絵素毎に輝度を記憶するメモリと、
メモリに記憶される輝度の変化から、各絵素毎に輝度の変動量を算出する変動量算出手段と、
変動量算出手段によって算出される輝度の変動量が複数の絵素について減少するように、表示装置の電源に制御信号を与え、交流化駆動電圧を調整する電圧調整手段とを含むことを特徴とする表示装置のちらつき調整装置である。
【００１０】
本発明に従えば、表示装置のちらつき調整装置は、交流化駆動を行う表示器と、交流化駆動電圧を制御信号に従って調整可能な電源とを備える表示装置のちらつきを調整する装置として、表示制御手段と、画面撮像手段と、メモリと、変動量算出手段と、電圧調整手段とを含む。表示制御手段は、表示器の表示画面を構成する複数の画素に、予め定める同一レベル、たとえば白色画像用の画像信号を与えて表示を行わせるように制御する。画面撮像手段は、表示器の画面を複数の絵素で撮像し、各絵素毎の輝度はメモリに記憶される。変動量算出手段は、メモリに記憶される輝度の変化から、各絵素毎に輝度の変動量を算出するので、各絵素が撮像する画面の画素の輝度のちらつきについて、人の感覚に近い変動量を得ることができる。電圧調整手段は、変動量算出手段によって算出される輝度の変動量が複数の絵素について減少するように、表示装置の電源に制御信号を与え、交流化駆動電圧を調整するので、輝度のばらつきを調整アルゴリズムに精度良く反映させることができ、人が感じるちらつきが小さくなるように交流化駆動電圧を調整することができる。
【００１１】
また本発明で、前記変動量算出手段は、前記変動量として、標準偏差を算出することを特徴とする。
【００１２】
本発明に従えば、変動量算出手段は、各絵素毎の輝度の変動量として標準偏差を算出するので、統計的なデータのばらつきを容易に把握することができる。
【００１３】
また本発明で、前記電圧調整手段は、前記複数の絵素について、前記輝度の標準偏差の平均を算出し、該平均が最小となるように、前記制御信号を前記表示装置の電源に与えることを特徴とする。
【００１４】
本発明に従えば、絵素毎の標準偏差の平均を算出するので、表示器の画面のちらつきを、平均として把握することができる。平均が最小となるように表示器の交流化駆動電圧を調整するので、平均として把握されるちらつきが最小となるように調整することができる。
【００１５】
また本発明で、前記電圧調整手段は、前記複数の絵素について、前記輝度の標準偏差のうちでの最大値が最小となるように、前記制御信号を前記表示装置の電源に与えることを特徴とする。
【００１６】
本発明に従えば、各画面では、標準偏差が最大値となる画素のちらつきが最も目立つはずである。表示器の交流化駆動電圧を調整すれば、標準偏差が最大となる画素は、異なる可能性がある。画素は異なっても、標準偏差が最大で、ちらつきが最も目立つ画素について、標準偏差が最小となるように交流化駆動電圧を調整すれば、画面全体ではちらつきが最も目立たないように調整することができる。
【００１７】
また本発明で、前記電圧調整手段は、前記複数の絵素について、前記輝度の標準偏差が大きい側で、予め定める部分に関する標準偏差の平均が最小となるように、前記制御信号を前記表示装置の電源に与えることを特徴とする。
【００１８】
本発明に従えば、複数の絵素について、輝度の標準偏差が大きい側の予め定める部分、たとえば大きい側の半分は、他の部分よりもちらつきが大きいと感じるはずである。交流化電圧の調整によって、輝度の標準偏差が大きい側に属する画素は変化しても、ちらつきが大きいと感じる部分の標準偏差の平均を比較し、その平均が最小となるように調整すれば、ちらつきとして感じやすい輝度のばらつきを最小にすることができる。
【００１９】
また本発明で、前記画面撮像手段は、前記表示画面を、前記複数の画素よりも多い数の絵素で撮像することを特徴とする。
【００２０】
本発明に従えば、表示画面の画素よりも多い数の絵素で撮像するので、表示画面の１画素の輝度は１以上の絵素の輝度に反映させることができ、１つの表示画面内でのちらつきも確実に検出して、低減するように調整することができる。
【００２１】
さらに本発明は、交流化駆動を行う表示装置の表示画面を構成する複数の画素に、予め定める同一レベルの画像信号を与えて表示を行わせながら、
表示画面を複数の絵素で撮像し、
撮像した映像を構成する複数の絵素について、各絵素毎に輝度の変動を求め、該複数の絵素についての輝度の変動が減少するように、表示装置の交流化駆動電圧を調整することを特徴とする表示装置のちらつき調整方法である。
【００２２】
本発明に従えば、表示装置のちらつき調整を、表示器の表示画面を構成する複数の画素に、予め定める同一レベル、たとえば白色画像用の画像信号を与えて表示を行わせながら、表示器の画面を複数の絵素で撮像し、各絵素毎に輝度の変動を求めるので、画面のちらつきについて、人の感覚に近い変動量を得ることができる。輝度の変動量が複数の絵素について減少するように、表示装置の電源に制御信号を与え、交流化駆動電圧を調整するので、輝度のばらつきを調整アルゴリズムに精度良く反映させることができ、人が感じるちらつきが小さくなるように交流化駆動電圧を調整することができる。
【００２３】
【発明の実施の形態】
図１は、本発明の実施の一形態である表示装置のちらつき調整装置１の概略的な電気的構成を示す。調整対象の表示装置であるＴＦＴ搭載製品２は、交流化駆動を行う表示器であるＴＦＴディスプレイ３と、交流化駆動電圧を制御信号に従って調整可能な電源とを備える。カラーパターンジェネレータ４は、ＴＦＴディスプレイ３の表示画面を構成する複数の画素に、予め定める同一レベル、たとえば白色表示用のの画像信号を与えて表示を行わせるように制御する表示制御手段として機能する。ＴＦＴディスプレイ３の表示画面では、ＴＦＴアクティブマトリクス方式で複数の画素が選択的に駆動され、表示画像が形成される。ＴＦＴディスプレイ３の正面には、ＣＣＤ（Ｃｈａｒｇｅ  Ｃｏｕｐｌｅｄ  Ｄｅｖｉｃｅ  ）カメラ５が配置され、表示画面を複数の絵素で撮像する画面撮像手段として機能する。ＣＣＤカメラ５は、カラーパターンジェネレータ４から送出される垂直同期信号ＶＤをカメラアダプタ６を介して入力し、表示画面のフレーム周期に同期してＲＧＢの三原色成分によるカラー画像の撮像を行う。なお、ＣＣＤカメラ５の代りに、他の方式の画面撮像手段、たとえばＭＯＳイメージセンサなども使用することができる。
【００２４】
ＣＣＤカメラ５のＲＧＢ出力は、パソコン１０の画像取得基板１１に入力される。画像取得基板１１は、フレームメモリ１２を備え、少なくとも１フレーム分の画像データを絵素毎に記憶可能である。ＣＣＤカメラ５からのＲＧＢ出力がデジタル化されていれば、ＲＧＢの各輝度がフレームメモリ１２に記憶される。ＣＣＤカメラ５からのＲＧＢ出力がアナログ信号であれば、画像取得基板１１はＡＤＣ（Ａｎａｌｏｇ  Ｄｉｇｉｔａｌ  Ｃｏｎｖｅｒｔｅｒ）を備え、アナログ／デジタル変換してから輝度値をフレームメモリ１２に記憶する。パソコン１０にはＤＩＯ基板１３も備えられ、デジタル信号の入出力を行い、カラーパターンジェネレータ４に対してＲｅｍｏｔｅ  Ｃｏｎｔｒｏｌ信号を与えて、ＴＦＴ搭載製品２に与えるＶＩＤＥＯ  ＯＵＴ  信号を制御する。このような制御で、ちらつき調整ばかりではなく、輝度調整や色度調整なども行うことができる。
【００２５】
パソコン１０には、フレームメモリ１２に記憶される輝度の変化から、各絵素毎に輝度の変動量を算出する変動量算出手段としてのＣＰＵ１４も含まれる。ＣＰＵ１４は、予めＲＯＭやハードディスクなどの不揮発性記憶装置、またはＣＤ−ＲＯＭやＤＶＤ−ＲＯＭなどの記録媒体からＲＡＭに読込まれ、または情報通信でダウンロードされるプログラムに従って、変動量の算出を行うとともに、算出される輝度の変動量が複数の絵素について減少するように、ＴＦＴ搭載製品２の電源に制御信号を与え、交流化駆動電圧を調整する電圧調整手段としても機能する。電圧調整手段としては、ＲＳ２３２Ｃなどのデータ伝送用インタフェースで接続される通信ゲートウェイ１５を介して、ＴＦＴ搭載製品２に対する通信制御を行う。
【００２６】
図２は、ＴＦＴ搭載製品２の概略的な電気的構成を示す。ＴＦＴ搭載製品２の全体的な制御は、マイコン２０によって行われる。図１の通信ゲートウェイ１５との通信インタフェースのために、通信回路２１が設けられる。ＴＦＴディスプレイ３のちらつき調整は、通信回路２１が受信する制御データに従って、マイコン２０がＤＡＣ（Ｄｉｇｉｔａｌ  Ａｎａｌｏｇ  Ｃｏｎｖｅｒｔｅｒ）２２から発生する電圧を変化させて行う。ＤＡＣ２２から発生する電圧は、電源２３に与えられて交流化駆動の際のオフセット電圧を調整する。電源２３は、ＴＦＴ搭載機器２の全体に動作用の電力を供給する。
【００２７】
ＴＦＴディスプレイ３による画像表示は、駆動回路２４が各画素をそれぞれ交流駆動して行われる。交流化信号の周期は、図１のカラーパターンジェネレータ４からの画像信号に含まれる垂直同期信号の周期である。垂直同期は、数十ｍ秒であり、１秒間に数１０回の画像表示が行われる。マイコン２０は、ＤＡＣ２２に設定する制御データをメモリ２５に記憶させておく。メモリ２５は、フラッシュメモリなど、不揮発性でデータの書き込みが可能なＲＯＭで構成される。ＴＦＴ搭載製品２としての通常の動作時は、電源投入後などの初期化ルーチンで、メモリ２５から読出す制御データをＤＡＣ２２に与える。ＴＦＴディスプレイ３で表示する画像を得るための信号処理回路２６によって与えられる。
【００２８】
図３は、図１のＣＰＵ１４が、ＣＣＤカメラ５の各絵素毎の輝度の変動量として、標準偏差を算出する手順を示す。ステップｓ０から手順を開始し、ステップｓ１では、カラーパターンジェネレータ４から白色表示、すなわちＲＧＢの三原色をそれぞれ最大輝度とする表示を行うための画像データをＴＦＴ搭載製品２に与える。ステップｓ２では、ＣＣＤカメラ５によるＴＦＴディスプレイ３の撮像を行う。ステップｓ３では、撮像された複数の絵素毎に、フレームメモリ１２に輝度を記憶する。複数の絵素についての輝度の記憶は、フレーム毎に異なる記憶エリアに対して行われる。ステップｓ４では、所定フレーム数、たとえば１０フレームに達しているか否かを判断する。所定フレーム数に達していなければ、ステップｓ２に戻り、次のフレームについて絵素毎の輝度の記憶を繰り返す。ステップｓ４で所定フレーム数に達していると判断するときは、ステップｓ５で、フレームメモリ１２にフレーム毎に記憶されている輝度データを絵素毎に読み出し、標準偏差を算出する。全部の絵素について、標準偏差を算出すると、ステップｓ６で手順を終了する。
【００２９】
変動量算出手段としてのＣＰＵ１４は、絵素毎の輝度の変動量として標準偏差を算出するので、統計的なデータのばらつきを容易に把握することができる。
【００３０】
図４は、ＴＦＴディスプレイ３のちらつきが最小となるように調整する手順を示す。ステップａ０から手順を開始し、ステップａ１では、ＤＡＣ２２に、デフォルトの制御データをＴＦＴ搭載製品に与える。ステップａ２では、最小値演算用として確保するメモリに、最小値用のデフォルト平均値、たとえば所定のビット数のデジタル信号で表示可能な最大値をメモリに記憶しておく。ステップａ３では、図３に示すような手順で標準偏差を算出する。ステップａ４では、各絵素についての標準偏差の平均値を算出する。ステップａ５では、最小値演算用のメモリに記憶されている値と、平均としての算出値とを比較する。算出値の方が小さければ、ステップａ６で平均としての算出値を最小値演算用のメモリに記憶する。ステップａ７ではＤＡＣ２２の電圧を所定値だけ増加させ、ステップａ３に戻る。ステップａ５で算出値が記憶値よりも小さくなくなれば、ステップａ８に移る。
【００３１】
ステップａ８では、ＤＡＣ２２の電圧を所定値だけ減少させる。ステップａ９では、図３に示すような手順で標準偏差を算出する。ステップａ１０では、各絵素についての標準偏差の平均値を算出する。ステップａ１１では、最小値演算用のメモリに記憶されている値と、平均としての算出値とを比較する。算出値の方が小さければ、ステップａ１２で平均としての算出値を最小値演算用のメモリに記憶し、ステップａ８に戻る。ステップａ１１で算出値が記憶値よりも小さくなくなれば、ステップａ１３に移る。ステップ１３では、ＤＡＣ２２の電圧を所定値だけ増加させる。ステップａ１１で算出値が記憶値よりも小さいと判断されていた状態に戻すためである。ステップａ１４で手順を終了する。
【００３２】
このように、電圧調整手段としてのＣＰＵ１４は、ＣＣＤカメラ５が撮像した複数の絵素について、輝度の標準偏差の平均を算出し、その平均が最小となるように、制御信号をＴＦＴ搭載製品２の２３電源に与える。絵素毎の標準偏差の平均を算出するので、ＴＦＴディスプレイ３の画面のちらつきを、平均として把握することができる。平均が最小となるようにＴＦＴディスプレイ３の交流化駆動電圧を調整するので、平均として把握されるちらつきが最小となるように調整することができる。
【００３３】
図５は、本発明の実施の他の形態として、図１の表示装置のちらつき調整装置１でちらつきを調整する手順を示す。ステップｂ２、ステップｂ４、ステップｂ５、ステップｂ６、ステップｂ１０、ステップｂ１１およびステップｂ１２を除いて、すなわちステップｂ０、ステップｂ１、ステップｂ３、ステップｂ７、ステップｂ８、ステップｂ９、ステップｂ１３およびステップｂ１４は、図４のステップａ０、ステップａ１、ステップａ３、ステップａ７、ステップａ８、ステップａ９、ステップａ１３およびステップａ１４の各ステップとそれぞれ同等である。ステップｂ２では、デフォルト最大値を最小値記憶用として確保しておくメモリの記憶領域に記憶する。ステップｂ４では、各絵素についての標準偏差のうち、最大値を選択する。ステップｂ５では、選択値と記憶値とを比較する。ステップｂ６では、選択値を新たな記憶値とする。ステップｂ１０では、ステップｂ４と同様に、各絵素についての標準偏差のうち、最大値を選択する。ステップｂ１１では、ステップｂ５と同様に、選択値と記憶値とを比較する。ステップｂ１２では、ステップｂ６お同様に、選択値を新たな記憶値とする。
【００３４】
すなわち、電圧調整手段としてのＣＰＵ１４は、複数の絵素について、図４での平均値の算出の代わりに、輝度の標準偏差のうちでの最大値を選択し、選択される最大値が最小となるように、制御信号をＴＦＴ搭載機器２の電源２３に与えることになる。人の感覚に従えば、各画面では標準偏差が最大値となる画素のちらつきが最も目立つはずである。ＴＦＴディスプレイ３の交流化駆動電圧を調整すれば、標準偏差が最大となる画素は、異なる可能性がある。画素は異なっても、標準偏差が最大で、ちらつきが最も目立つ画素について、標準偏差が最小となるように交流化駆動電圧を調整すれば、画面全体ではちらつきが最も目立たないように調整することができる。
【００３５】
図６は、本発明の実施のさらに他の形態として、図１の表示装置のちらつき調整装置１でちらつきを調整する手順を示す。ステップｃ４およびステップｃ１０を除く、ステップｃ０〜ｃ３、ステップｃ５〜ｃ９、およびステップｃ１１〜ｃ１４は、図１のステップａ０〜ａ３、ステップａ５〜ａ９、およびステップａ１１〜ａ１４の各ステップとそれぞれ同等である。ステップｃ４およびステップｃ１０では、図４のステップａ４およびステップａ１０で複数の絵素の標準偏差の全部の平均値をとる代わりに、標準偏差の大きいもの半分について平均値をとるようにしている。
【００３６】
電圧調整手段であるＣＰＵ１４は、複数の絵素について、輝度の標準偏差が大きい側での半分など、予め定める部分に関する標準偏差の平均が最小となるように、制御信号をＴＦＴ搭載製品２の電源２３に与える。複数の絵素について、輝度の標準偏差が大きい側の半分などは、他の部分よりもちらつきが大きいと感じるはずである。交流化電圧の調整によって、輝度の標準偏差が大きい側に属する画素は変化しても、ちらつきが大きいと感じる部分の標準偏差の平均を比較し、その平均が最小となるように調整すれば、ちらつきとして感じやすい輝度のばらつきを最小にすることができる。
【００３７】
図４、図５および図６の手順では、ＤＡＣ電圧を増加または減少させる所定値を、段階的に小さくして、粗調整、中間調整、精密調整など、迅速かつ高精度の調整を行うこともできる。
【００３８】
図７は、表示ライン間でちらつきが感じられる画像の例を、説明の便宜上、誇張して示す。図７は、ライン間で輝度差がある場合の奇数フィールドと偶数フィールドとを示し、交流化駆動によりフィールド間では極性が反転している。ＤＡＣ２２の制御を８ビットで行う場合、１６進数で２０程度が設定されている。
【００３９】
図８は、表示ライン間でちらつきが感じらない画像の例を示す。奇数フィールドと偶数フィールドとで、交流化駆動の極性が反転しているけれども、違いは感じられない。ＤＡＣ２２の制御を８ビットで行う場合、１６進数で８３程度が設定されている。
【００４０】
各実施の形態で、ＣＣＤカメラ５、ＴＦＴディスプレイ３の表示画面を、その表示画面を構成する画素数よりも多い数の絵素で撮像することが好ましい。表示画面の画素よりも多い数の絵素で撮像するので、表示画面の１画素の輝度は１以上の絵素の輝度に反映させることができ、１つの表示画面内でのちらつきも確実に検出して、低減するように調整することができるからである。
【００４１】
なお、絵素毎に輝度の変動を求めるのは、標準偏差によらずに、最小値と最大値との差である変動幅など、他の値で求めることもできる。また、ＴＦＴディスプレイではない、単純マトリクス方式の液晶表示パネルなど、他の方式の液晶表示パネルや、エレクトロ・ルミネセント（ＥＬ）パネルやプラズマ・ディスプレイ（ＰＤ）パネルなど、交流化駆動を行う表示装置のちらつきを最小とするように、同様に調整することができる。
【００４２】
【発明の効果】
以上のように本発明によれば、表示器の画面を複数の絵素で撮像して、各絵素毎に輝度の変動量を算出するので、表示器の画面のちらつきについて、人の感覚に近い変動量を得ることができ、輝度のばらつきを調整アルゴリズムに精度良く反映させることができる。輝度の変動量が複数の絵素について減少するように、交流化駆動電圧を調整するので、人が感じるちらつきが小さくなるように交流化駆動電圧を調整することができる。
【００４３】
また本発明によれば、各絵素毎の輝度の変動量として標準偏差を取るので、調整アルゴリズムに輝度のばらつきを精度良く反映させることができる。
【００４４】
また本発明によれば、絵素毎の標準偏差の平均を算出するので、表示器の画面のちらつきを、平均として調整アルゴリズムに反映させて、平均的なちらつきが最小となるように調整することができる。
【００４５】
また本発明によれば、画素は異なっても、標準偏差が最大で、ちらつきが最も目立つ画素について、標準偏差が最小となるように交流化駆動電圧を調整し、ちらつきが最も目立たないように調整することができる。
【００４６】
また本発明によれば、輝度の標準偏差が大きい側の予め定める部分から外れる他の部分は無視して、目視時にちらつきを感じるときの影響を調整アルゴリズムに反映させることができる。
【００４７】
また本発明によれば、表示画面の１画素の輝度は１以上の絵素の輝度に反映させ、１つの表示画面内での画素間のちらつきも確実に検出して、低減するように調整することができる。画面上でランダムにサラサラ流れるような輝度ばらつきをちらつきであっても、確実に減少させることができる。
【００４８】
さらに本発明によれば、表示器の表示画面を構成する複数の画素に、予め定める同一レベルの画像信号を与えて表示を行わせながら、画面のちらつきについて、人の感覚に近い輝度の変動量を得て、輝度のばらつきを調整アルゴリズムに精度良く反映させることができ、人が感じるちらつきが小さくなるように交流化駆動電圧を調整することができる。
【図面の簡単な説明】
【図１】本発明の実施の一形態である表示装置のちらつき調整装置１の概略的な電気的構成を示すブロック図である。
【図２】図１のＴＦＴ搭載製品の概略的な電気的構成を示すブロック図である。
【図３】図１の表示装置のちらつき調整装置１で、ＣＣＤカメラ５が撮像する絵素毎に標準偏差を算出する概略的な手順を示すフローチャートである。
【図４】図１の実施形態で、ちらつきを最小に調整する手順を示すフローチャートである。
【図５】本発明の実施の他の形態で、ちらつきを最小に調整する手順を示すフローチャートである。
【図６】本発明の実施のさらに他の形態で、ちらつきを最小に調整する手順を示すフローチャートである。
【図７】表示ライン毎にちらつきが生じる画像の例を示す図である。
【図８】ちらつきのない画像の例を示す図である。
【符号の説明】
１  表示装置のちらつき調整装置
２  ＴＦＴ搭載製品
３  ＴＦＴディスプレイ
４  カラーパターンジェネレータ
５  ＣＣＤカメラ
１０  パソコン
１１  画像所得基板
１２  フレームメモリ
１４  ＣＰＵ
２０  マイコン
２２  ＤＡＣ
２３  電源
２４  駆動回路
２５  メモリ
【図１】
2005010641.tif 000003
【図２】
2005010641.tif 000004
【図３】
2005010641.tif 000005
【図４】
2005010641.tif 000006
【図５】
2005010641.tif 000007
【図６】
2005010641.tif 000008
【図７】
2005010641.tif 000009
【図８】
2005010641.tif 000010